【手続補正書】
【提出日】平成28年12月21日(2016.12.21)
【手続補正１】
【補正対象書類名】特許請求の範囲
【補正対象項目名】全文
【補正方法】変更
【補正の内容】
【特許請求の範囲】
【請求項１】
モバイルデバイスで、
ワイヤレス通信信号を介して、前記モバイルデバイスとは別個かつ外部にあるルートサーバから、所定の目的地への計画されたルートの少なくとも一部を受信することと、前記計画されたルートの前記受信された少なくとも前記一部が、少なくとも１つの過酷な、または減少した無線周波数環境のロケーション内の移動のためのインジケータを備える、
前記計画されたルートの前記受信された少なくとも前記一部が、前記モバイルデバイスの推定位置が少なくとも１つの過酷な、または減少した無線周波数環境の前記ロケーションに近接している、または接近している場合、少なくとも１つのセンサを活性化するための命令を備える、
前記モバイルデバイスの前記推定位置を算出する際に使用するために、取得された衛星測位システム（ＳＰＳ）信号、地上測位システム（ＴＰＳ）信号、またはそれらの組合せを処理することと、
前記モバイルデバイスが、前記モバイルデバイスの前記推定位置が少なくとも１つの過酷な、または減少した無線周波数環境の前記ロケーションに近接している、または接近しているという決定に少なくとも部分的に基づいて、前記命令に応答して、前記少なくとも１つのセンサを活性化することと、
少なくとも１つの過酷な、または減少した無線周波数環境の前記ロケーション内の位置決定を取得する際に助けるために、前記活性化された少なくとも１つのセンサで取得された測定値を使用することと
を備える、方法。
【請求項２】
前記モバイルデバイスの正確な推定位置が、位置推定アプリケーションの動作にとって重要であることを示している前記計画されたルートの前記受信された少なくとも前記一部に少なくとも部分的に基づいて、前記位置決定を取得する際に助けるために、前記活性化された少なくとも１つのセンサによって取得された前記測定値を使用することをさらに備える、請求項１に記載の方法。
【請求項３】
前記計画されたルートの前記受信された少なくとも前記一部が、前記モバイルデバイスの前記正確な推定位置が前記位置推定アプリケーションの動作にとって重要ではないことを示す場合、前記少なくとも１つのセンサを電源が入っていない状態に維持することをさらに備える、請求項２に記載の方法。
【請求項４】
人口密集地域を移動する、交通遅延を経験する、またはそれらの組合せのルートのユーザ選択を受信することに応答することに少なくとも部分的に基づいて、前記少なくとも１つのセンサを電源が入っていない状態に維持することをさらに備える、請求項２に記載の方法。
【請求項５】
前記モバイルデバイスの前記推定位置が、少なくとも１つの過酷な、または減少した無線周波数環境の前記ロケーションに近接している、または接近している、あるいは、前記推定位置が、少なくとも１つの過酷な、または減少した無線周波数環境の前記ロケーションに近接している前記計画されたルートの前記受信された少なくとも前記一部に沿っていると決定することをさらに備え、前記決定することが、
クラウドソーシングによる測定値または表示、
ＷＷＡＮセル密度の検出、
ＷＷＡＮ信号またはＧＮＳＳ信号のチャネルエネルギーまたはチャネルインパルス応答、
人口密度マップ、
Ｗｉ−Ｆｉ（登録商標）アクセスポイント密度マップ、あるいは、
デジタルマップ上の画像の特徴の検査、
のうちの１つまたは複数に少なくとも部分的に基づく、請求項１に記載の方法。
【請求項６】
前記少なくとも１つのセンサが加速度計を備える、請求項１に記載の方法。
【請求項７】
前記少なくとも１つのセンサがジャイロスコープを備える、請求項１に記載の方法。
【請求項８】
前記少なくとも１つのセンサが磁力計を備える、請求項１に記載の方法。
【請求項９】
前記少なくとも１つのセンサが気圧センサを備える、請求項１に記載の方法。
【請求項１０】
地理上のフェンスに対する前記推定位置の適用によって、前記モバイルデバイスの前記推定位置が、少なくとも１つの過酷な、または減少した無線周波数環境の前記ロケーションに近接している、または接近していると決定することをさらに備える、請求項１に記載の方法。
【請求項１１】
前記モバイルデバイスの前記推定位置が、少なくとも１つの過酷な、または減少した無線周波数環境の前記ロケーションの境界を定めるために知られているセルラー基地局に近接している、または接近していることを示す識別信号を取得することをさらに備える、請求項１に記載の方法。
【請求項１２】
少なくとも１つの過酷な、または減少した無線周波数環境の前記ロケーションの範囲を決定することと、
少なくとも１つの過酷な、または減少した無線周波数環境の前記ロケーションの前記決定された範囲に少なくとも部分的に基づいて、活性化されるべきセンサのセットを選択することと
をさらに備える、請求項１に記載の方法。
【請求項１３】
少なくとも１つの過酷な、または減少した無線周波数環境の前記ロケーションに到達するための推定距離、または推定時間を決定することと、
前記推定距離、または前記推定時間に少なくとも部分的に基づいて、前記少なくとも１つのセンサを準備状態にすることと
をさらに備える、請求項１に記載の方法。
【請求項１４】
ワイヤレス通信チャネルを介して、前記計画されたルートの前記受信された少なくとも前記一部への１つまたは複数のクラウドソーシング更新を受信することをさらに備える、請求項１に記載の方法。
【請求項１５】
移動のための前記インジケータが、前記少なくとも１つの過酷な、または減少した無線周波数環境内の１つまたは複数のロケーションにおいて提供される１つまたは複数の進路変更ごとのインジケータを備える、請求項１に記載の方法。
【請求項１６】
前記少なくとも１つのセンサを活性化するための前記命令が、前記計画されたルートの前記受信された少なくとも前記一部が前記少なくとも１つの過酷な、または減少した無線周波数環境内の１つまたは複数のロケーションにおいて前記１つまたは複数の進路変更ごとのインジケータを備えるという決定に少なくとも部分的に基づく、請求項１５に記載の方法。
【請求項１７】
前記少なくとも１つのセンサを前記活性化することが、前記モバイルデバイスの利用可能なバッテリリソースがしきい値容量を下回らないことに少なくとも部分的に基づく、請求項１に記載の方法。
【請求項１８】
モバイルデバイスであって、
１つまたは複数のセンサと、
衛星測位システム（ＳＰＳ）信号、および地上測位システム（ＴＰＳ）信号、またはそれらの組合せを取得するための１つまたは複数の受信機と、前記１つまたは複数の受信機は、ワイヤレス通信信号を介して、前記モバイルデバイスとは別個かつ外部にあるルートサーバから、所定の目的地への計画されたルートの少なくとも一部をさらに受信し、前記計画されたルートの前記受信された少なくとも前記一部が、少なくとも１つの過酷な、または減少した無線周波数環境のロケーション内の移動のためのインジケータを備え、前記計画されたルートの前記受信された少なくとも前記一部が、前記モバイルデバイスの推定位置が少なくとも１つの過酷な、または減少した無線周波数環境の前記ロケーションに近接している、または接近している場合、前記１つまたは複数のセンサのうちの少なくとも１つのセンサを活性化するための命令を備える、
前記モバイルデバイスの前記推定位置を算出する際に使用するために、前記取得されたＳＰＳ信号を処理して、
前記モバイルデバイスの前記推定位置が、少なくとも１つの過酷な、または減少した無線周波数環境の前記ロケーションに近接している、または接近していることを決定して、
前記命令に応答して、および、前記モバイルデバイスが少なくとも１つの過酷な、または減少した無線周波数環境の前記ロケーションに近接している、または接近しているという決定に少なくとも部分的に基づいて前記少なくとも１つのセンサを活性化して、
少なくとも１つの過酷な、または減少した無線周波数環境の前記ロケーション内の位置決定を取得する際に助けるために、前記１つまたは複数のセンサのうちの前記少なくとも１つのセンサによって取得された測定値を適用する
ように構成された前記モバイルデバイスの１つまたは複数のプロセッサと
を備える、モバイルデバイス。
【請求項１９】
前記１つまたは複数のプロセッサが、
１つまたは複数のクラウドソーシングによる測定値または表示に少なくとも部分的に基づいて、前記計画されたルートの前記受信された少なくとも前記一部を更新するようにさらに構成される、請求項１８に記載のモバイルデバイス。
【請求項２０】
前記受信された計画されたルートの前記少なくとも前記一部が、１つまたは複数のＷＷＡＮセル、人口密度、およびＷｉ−Ｆｉアクセスポイント密度を示すデジタルマップを備える、請求項１８に記載のモバイルデバイス。
【請求項２１】
前記１つまたは複数のプロセッサが、
ユーザインターフェースから、ルート嗜好を表す入力信号を受信するようにさらに構成され、前記ルート嗜好が、過酷な、または減少した無線周波数環境内の移動に対するユーザの許容度に少なくとも部分的に基づく、請求項１８に記載のモバイルデバイス。
【請求項２２】
前記１つまたは複数のプロセッサが、
前記モバイルデバイスのディスプレイデバイスに、前記ユーザインターフェースからの前記入力信号に少なくとも部分的に基づいて、前記所定の目的地への少なくとも２つの計画されたルートの少なくとも一部を提示するように指示するようにさらに構成される、請求項２１に記載のモバイルデバイス。
【請求項２３】
前記１つまたは複数のプロセッサが、
前記モバイルデバイスの前記ディスプレイデバイスに、前記モバイルデバイスのセンサスイートに少なくとも部分的に基づいて、前記所定の目的地への前記少なくとも２つの計画されたルートの少なくとも一部を提示するように指示するようにさらに構成される、請求項２２に記載のモバイルデバイス。
【請求項２４】
ワイヤレス通信信号を介して、モバイルデバイスとは別個かつ外部にあるルートサーバから、所定の目的地への計画されたルートの少なくとも一部を取得して、前記計画されたルートの前記取得された少なくとも前記一部が、少なくとも１つの過酷な、または減少した無線周波数環境のロケーション内の移動のためのインジケータを備え、前記計画されたルートの前記取得された少なくとも前記一部が、前記モバイルデバイスの推定位置が少なくとも１つの過酷な、または減少した無線周波数環境の前記ロケーションに近接している、または接近している場合、少なくとも１つのセンサを活性化するための命令をさらに備える、
前記モバイルデバイスの前記推定位置を算出する際に使用するために、取得された衛星測位システム（ＳＰＳ）信号、または地上測位システム（ＴＰＳ）信号を処理して、
前記モバイルデバイスの前記推定位置が、少なくとも１つの過酷な、または減少した無線周波数環境の前記ロケーションに近接している、または接近していると決定して、
前記モバイルデバイスが、前記モバイルデバイスが少なくとも１つの過酷な、または減少した無線周波数環境の前記ロケーションに近接している、または接近しているという決定に少なくとも部分的に基づいて前記命令に応答して、前記少なくとも１つのセンサを活性化して、
少なくとも１つの過酷な、または減少した無線周波数環境の前記ロケーション内の位置決定を取得する際に助けるために、前記活性化された少なくとも１つのセンサで取得された測定値を適用する
ために、前記モバイルデバイスの専用コンピューティング装置によって実行可能な、機械可読命令を記憶して備える非一時的記憶媒体を備える、製品。
【請求項２５】
前記非一時的記憶媒体が、
１つまたは複数のクラウドソーシングによる測定値または表示に少なくとも部分的に基づいて、前記計画されたルートの前記少なくとも前記一部を修正するために、前記専用コンピューティング装置によって実行可能な機械可読命令を記憶して備える、請求項２４に記載の製品。
【請求項２６】
前記非一時的記憶媒体が、
少なくとも１つの過酷な、または減少した無線周波数環境の前記ロケーション内の前記推定位置の正確な測定値が、前記計画されたルートの前記少なくとも前記一部に沿って、位置推定アプリケーションの動作にとって重要であると決定することに応答して、前記少なくとも１つのセンサを活性化するかどうかを決定するために、前記専用コンピューティング装置によって実行可能な機械可読命令を記憶して備える、請求項２４に記載の製品。
【請求項２７】
前記計画されたルートの前記少なくとも一部が、１つまたは複数のＷＷＡＮセル、人口密度、またはＷｉ−Ｆｉアクセスポイント密度を示すデジタルマップを備える、請求項２６に記載の製品。
【請求項２８】
前記非一時的記憶媒体が、
前記モバイルデバイスのディスプレイデバイスに、モバイルデバイスのユーザのルート嗜好を表す入力を受信するように指示するために、前記専用コンピューティング装置によって実行可能な機械可読命令を記憶して備え、前記モバイルデバイスのユーザのルート嗜好が、
過酷な、または減少した無線周波数環境内の目的地に移動することに対するユーザの許容度に少なくとも部分的に基づく、請求項２４に記載の製品。
【請求項２９】
モバイルデバイスで、
ワイヤレス通信信号を介して、前記モバイルデバイスとは別個かつ外部にあるルートサーバから、所定の目的地への計画されたルートの少なくとも一部を受信するための手段と、前記計画されたルートの前記受信された少なくとも一部が、少なくとも１つの過酷な、または減少した無線周波数環境のロケーション内の移動のためのインジケータを備え、前記計画されたルートの前記受信された少なくとも前記一部が、前記モバイルデバイスの推定位置が少なくとも１つの過酷な、または減少した無線周波数環境の前記ロケーションに近接している、または接近している場合、１つまたは複数のセンサを活性化するための命令を備える、
前記モバイルデバイスの前記推定位置を算出する際に使用するために、取得された衛星測位システム（ＳＰＳ）信号、および地上測位システム（ＴＰＳ）信号、またはそれらの組合せを処理するための手段と、
前記命令に応答して、および前記モバイルデバイスが少なくとも１つの過酷な、または減少した無線周波数環境の前記ロケーションに近接している、または接近しているという決定に少なくとも部分的に基づいて、前記１つまたは複数のセンサのうちの少なくとも１つを活性化するための手段と、
少なくとも１つの過酷な、または減少した無線周波数環境の前記ロケーション内の位置決定を取得する際に助けるために、前記１つまたは複数のセンサから取得された測定値を使用するための手段と
を備える、装置。
【請求項３０】
前記計画されたルートの前記受信された少なくとも前記一部が、前記モバイルデバイスの正確な推定位置が位置推定アプリケーションの動作にとって重要であることを示している場合、前記ＳＰＳ信号および前記ＴＰＳ信号の取得に少なくとも部分的に基づいて、前記位置決定を取得する際に助けるために、前記１つまたは複数のセンサから取得された前記測定値を使用するための手段をさらに備える、請求項２９に記載の装置。
【請求項３１】
前記計画されたルートの前記受信された少なくとも前記一部が、前記モバイルデバイスの正確な位置推定が位置推定アプリケーションの動作にとって重要ではないことを示す場合、前記１つまたは複数のセンサを電源が入っていない状態に維持するための手段をさらに備える、請求項２９に記載の装置。
【請求項３２】
前記モバイルデバイスの前記推定位置が、少なくとも１つの過酷な、または減少した無線周波数環境の前記ロケーションに近接している、または接近している、あるいは、前記推定位置が前記計画されたルートの前記受信された少なくとも前記一部に沿っていることが、少なくとも１つの過酷な、または減少した無線周波数環境の前記ロケーションに近接していると決定するための手段をさらに備え、前記決定することが、
クラウドソーシングによる測定値または表示、
ＷＷＡＮセル密度の検出、
信号またはＧＮＳＳ信号のチャネルエネルギーまたはチャネルインパルス応答、
人口密度マップ、
Ｗｉ−Ｆｉアクセスポイント密度マップ、あるいは、
デジタルマップ上の画像の特徴の検査、
のうちの１つまたは複数に少なくとも部分的に基づく、請求項２９に記載の装置。
【請求項３３】
少なくとも１つの過酷な、または減少した無線周波数環境の前記ロケーションに到達するための推定距離または時間を決定するための手段と、
前記推定距離または時間に少なくとも部分的に基づいて、前記１つまたは複数のセンサのうちの少なくとも１つのセンサを準備状態にするための手段と
をさらに備える、請求項２９に記載の装置。